(57)【要約】【課題】  扉の開閉を安全に、かつ容易にできるとともに、通気性を備えた廃棄物収容箱を提供することを課題とする。【解決手段】  廃棄物収容箱１は、内部に複数の廃棄物４を収容可能な収容空間５、及び収容空間５に連通する開口部６を有する収容箱本体２と、開口部６を閉塞可能な扉部３と、扉部３を収容箱本体２に回動可能に軸支する一対の回動支持部７とから構成されている。この扉部は自重によって開口状態ＯＳが保持されるため、安全に廃棄物４の投棄を行なうことができる。また、収容箱本体２及び扉部３は、一部が網状部材９によって形成されることにより収容空間５に通気性が確保される。【選択図】  図２
2005314025.tif 000002
【特許請求の範囲】
【請求項１】
少なくとも一部が網状部材によって形成され、廃棄物を内部に収容可能な収容空間、及び前記収容空間に連通して形成された開口部を有する収容箱本体と、
少なくとも一部が網状部材によって形成され、前記開口部を閉塞可能な扉部本体、及び前記扉部本体の互いに対向する辺縁からそれぞれ垂設された一対の扉支持部を有する扉部と、
前記収容箱本体の互いに対向する内側面部に前記扉部の前記扉支持部を回動可能に軸支し、前記開口部を閉塞した閉塞状態、及び前記開口部を開口し、前記収容空間に前記廃棄物を投棄可能とする開口状態の間で前記扉部を変位可能に支持する一対の回動支持部と
を具備し、
前記扉部は、前記閉塞状態及び前記開口状態の間の変位の際に、前記回動支持部に対して前記収容箱本体の前面側に前記扉部の重心が位置すると、自重によって前記閉塞状態に付勢され、前記収容箱本体の背面側に重心が位置すると、自重によって前記開口状態に付勢されることを特徴とする廃棄物収容箱。
【請求項２】
前記扉部本体は、
第一扉部と、
前記第一扉部から延設され、前記収容空間側に湾曲して形成された第二扉部と
を具備して構成されることを特徴とする請求項１に記載の廃棄物収容箱。
【請求項３】
前記収容箱本体は、
前記開口部の下端が前記廃棄物が収容される床面から２０ｃｍ以上、かつ前記収容箱本体を設置する設置面から６０ｃｍ以下の高さに設定されていることを特徴とする請求項１又は請求項２に記載の廃棄物収容箱。
【発明の詳細な説明】
【技術分野】
【０００１】
本発明は、廃棄物収容箱に関するものであり、詳しくは、多数の廃棄物を集積して収容する廃棄物収容箱に関するものである。
【背景技術】
【０００２】
従来、家庭から出される生ゴミ及び紙ゴミ等はゴミ袋等に入れられ、廃棄物として所定のゴミ集積所に一時的に集積された後、ゴミ回収業者によって回収される。ここで、ゴミ回収業者による回収前にゴミ集積所に廃棄物を置いた場合、廃棄物に含まれる生ゴミの臭いに引き寄せられた犬、カラス、又は猫等によってゴミ袋及び廃棄物の中身が周辺に散乱させられることが問題視されていた。
【０００３】
そこで、廃棄物の散乱等を防止するために、集積所に集めた廃棄物の上に防護ネットが被せられることが一般的に行なわれている。これにより、犬、カラス、又は猫等による廃棄物の散乱を防止することが可能である。
【０００４】
また、マンション等のゴミ集積所に設置され、複数の廃棄物を内部に収容可能な廃棄物収容箱も知られている。この廃棄物収容箱は、例えば前面に開放部を形成する廃棄物収容箱本体に該開放部を開閉し得る一対の引戸が設けるとともに、係る引戸をスライドさせるためのレール部を設けたもの、又は、前面に開放部を形成する廃棄物収容箱本体に該開放部を開閉し得る観音開き式の扉が設けたものが一般的に知られている。これらの廃棄物収容箱に廃棄物を収容することにより、ゴミ回収業者によって回収される前の廃棄物を犬、カラス、及び猫等から隔離することが可能である。
【０００５】
以上の従来技術は、公然に実施されているものであり、出願人は、この従来技術が記憶された文献を、本願出願時においては知見していない。
【発明の開示】
【発明が解決しようとする課題】
【０００６】
しかし、集積した廃棄物に防護ネットを被せた場合、防護ネットと地面との間に生じる隙間、及び防護ネットの網目から猫が爪で引っ掻いたり、カラスがクチバシで突付いたりすると、樹脂製のゴミ袋の表面が破られてしまうことがあった。また、防護ネットを被せた後に追加の廃棄物を集積所に置く際に、防護ネットを再び持ち上げ、持ち上げた防護ネットの下に廃棄物を入れる必要があり、手間を要するものであった。さらに、集積される廃棄物が増えるにつれ、廃棄物が防護ネットからはみ出てしまい、周囲の美観を損なうおそれがあった。また、この方法では廃棄物を集積場の地面に直に載置することになり、特に夏場等においては廃棄物に含まれる生ゴミ等から悪臭が生じ、廃棄物が回収された後も集積場には悪臭が残ってしまうことがあり、問題視されていた。
【０００７】
これに対し、廃棄物収容箱を使用する場合は、廃棄物を犬、烏、及び猫等から完全に隔離することが可能である。しかしながら、前述の引戸が設けられた廃棄物収容箱の場合には、引戸をスライドさせるレール部に錆が発生したり、レール部に汚れが詰まったりすることにより、開閉が困難になることがあった。
【０００８】
また、前述の観音開き式の扉が設けられた廃棄物収容箱の場合には、上述のようなレール部を設ける必要がなく、錆の発生などによって開閉が困難になることはなかった。しかしながら、観音開き式の扉は、確実に閉塞されていない場合に強風に煽られる等によって開口する場合があり、廃棄物収容箱内に猫等が侵入する可能性があった。
【０００９】
さらに、これらの廃棄物収容箱は、集積されるゴミ袋が大量になると、扉を開いた際に、集積されるゴミ袋の一部が崩れ出てしまうことがあった。加えて、これらの廃棄物収容箱は、内部が外観から視認されにくい場合が多く、不法投棄やイタズラなどを誘発するおそれがあった。また、これらの扉は金属製で重量が大きい場合が多く、女性や高齢者等にとっては開閉が困難であった。
【００１０】
そこで、本発明は、上記実情に鑑み、扉の開閉を容易に行なうことのできる廃棄物収容箱を提供することを第一の課題とし、通気性の高い廃棄物収容箱を提供することを第二の課題とするものである。
【課題を解決するための手段】
【００１１】
上記の課題を解決するため、本発明の廃棄物収容箱は、「少なくとも一部が網状部材によって形成され、廃棄物を内部に収容可能な収容空間、及び前記収容空間に連通して形成された開口部を有する収容箱本体と、少なくとも一部が網状部材によって形成され、前記開口部を閉塞可能な扉部本体、及び前記扉部本体の互いに対向する辺縁からそれぞれ垂設された一対の扉支持部を有する扉部と、前記収容箱本体の互いに対向する内側面部に前記扉部の前記扉支持部を回動可能に軸支し、前記開口部を閉塞した閉塞状態、及び前記開口部を開口し、前記収容空間に前記廃棄物を投棄可能とする開口状態の間で前記扉部を変位可能に支持する一対の回動支持部とを具備し、前記扉部は、前記閉塞状態及び前記開口状態の間の変位の際に、前記回動支持部に対して前記収容箱本体の前面側に前記扉部の重心が位置すると、自重によって前記閉塞状態に付勢され、前記収容箱本体の背面側に重心が位置すると、自重によって前記開口状態に付勢されることを特徴とする」ものから構成されている。
【００１２】
ここで、網状部材とは、合成樹脂、又は金属等を素材とした線材等によって網目状に形成されたものであり、複数の孔によって通気性を有するものである。
【００１３】
さらに、収容箱本体とは、ゴミ集積所に集められる複数の廃棄物を収容可能な大きさの収容空間と、該収容空間に連通し、廃棄物を投棄可能な大きさの開口部とを有するものである。ここで、係る収容箱本体の少なくとも一部は網状部材によって形成されるが、収容箱本体の形状を保持するために、収容箱本体の骨格は鉄又はステンレス等の硬質な素材によって形成されるものが望ましい。なお、廃棄物収容箱は主に屋外のゴミ集積所にて使用されるため、収容箱本体の上面には雨天時に収容空間に雨水が浸入することを防ぐ板状部材による屋根を設けることが好適である。
【００１４】
一方、扉部本体とは、上述の開口部を閉塞可能な形状を有するものであり、収容箱本体と同様に、骨格を鉄又はステンレス等の硬質な素材によって構成するものが望ましい。さらに、扉支持部とは、扉部本体を収容箱本体に変位可能に連結するものであり、例えば、鉄又はステンレス等の金属製の棒状部材等が挙げられる。さらに、回動支持部とは、扉支持部を収容箱本体の内側面に回動可能に支持するためのものである。
【００１５】
ここで、扉部の重心とは、扉部の質量中心を示すものである。そして、扉部は、前述したように、扉支持部が回動支持部に回動可能に軸支されているため、回動による開口状態及び閉塞状態の間で扉部の重心が変位する。さらに、具体的に示すと、扉部が閉塞状態にあるときには、重心は回動支持部に対して収容箱本体の前面側に位置し、扉部が開口状態にあるときには、重心は回動支持部に対して収容箱本体の背面側に位置する。
【００１６】
したがって、本発明の廃棄物収容箱によれば、扉部本体は、収容箱本体の開口部を閉塞する閉塞状態と、開口部を開口する開口状態との間で変位可能になる。このとき、扉部を閉塞状態から開口状態に変位させるためには、扉部の重心が回動支持部に対して収容箱本体の背面側に位置するまで扉部を変位させる。すると、扉部は自重によって付勢され、開口状態まで変位する。そして、逆に、扉部を開口状態から閉塞状態に変位させるためには、扉部の重心が回動支持部に対して収容箱本体の前面側に位置するまで扉部を変位させる。すると、扉部は自重によって付勢され、閉塞状態まで変位する。これにより、扉部を開口状態又は閉塞状態に容易に変位させることができる廃棄物収容箱を提供することが可能となる。
【００１７】
また、本発明の廃棄物収容箱によれば、廃棄物収容箱の少なくとも一部が網状部材で形成される。これにより、通気性の高い廃棄物収容箱を提供することができ、収容空間に収容された廃棄物に含まれる生ゴミ等の腐敗の進行を遅延させることが可能になる。
【００１８】
また、本発明の廃棄物収容箱は、「前記扉部本体は、第一扉部と、前記第一扉部から延設され、前記収容空間側に湾曲して形成された第二扉部とをさらに具備して構成されることを特徴とする」ものであっても構わない。
【００１９】
ここで、上述したように、扉部が開口状態にあるとき、扉部の重心が回動支持部に対して本体背面側に位置することによって保持される。さらに、回動支持部は収容箱本体の内側面部に取設されるため、扉部が上述の開口状態にあっては、重心点が存在する扉部の一部は収容空間内の回動支持部に対して本体背面側に収容された状態となる。
【００２０】
したがって、本発明の廃棄物収容箱によれば、扉部の扉部本体が、第一扉部と、収容空間側に湾曲した第二扉部とによって形成されている。そのため、扉部を開口状態に変位させる場合、収容空間側に湾曲した第二扉部は、回動支持部を支点とする略円弧形状の軌道に沿って変位する。このとき、第二扉部が湾曲しているため、収容箱本体の背面及び回動支持部の間の距離（奥行き）及び回動支持部と廃棄物収容箱の上面までの高さを扉支持部よりも若干長い寸法に設定することが可能である。その結果、廃棄物収容箱の奥行き、及び高さを小さくし、全体をコンパクトなものとすることができる。また、第二扉部を湾曲させることにより、回動支持部に対する扉部の重心の位置の変位幅が小さくなり、僅かな扉部の開閉動作によっても開口状態及び閉塞状態に自重に従って付勢させることが可能となる。
【００２１】
また、本発明の廃棄物収容箱は、「前記収容箱本体は、前記開口部の下端が前記廃棄物が収容される床面から２０ｃｍ以上、かつ前記収容箱本体を設置する設置面から６０ｃｍ以下の高さに設定されていることを特徴とする」ものであっても構わない。
【００２２】
ここで、前述したように、前面に開放部を形成した廃棄物収容箱は、収容空間に収容される集積物を多重に積載すると、一部が係る開放部から崩れ出てしまうことがあった。
【００２３】
したがって、本発明の廃棄物収容箱によれば、開口部の下端位置は、廃棄物が収容される収容箱本体の床面から２０ｃｍ以上、好ましくは３０ｃｍ以上の高さに設定されているとともに、収容箱本体を設置する設置面から６０ｃｍ以下、好ましくは５０ｃｍ以下の高さに設定されている。このとき、開口部の下端が収容箱本体の床面から２０ｃｍ以上の高さに設定されていることにより、収容空間内の開口部付近に積重して収容された廃棄物の一部が崩れた場合にも、係る廃棄物が開口部から崩れ出ることを開口部下端に位置する収容箱本体の前面部によって防止することが可能である。また、開口部の下端が収容箱本体を設置する設置面から６０ｃｍ以下の高さに設定されていることにより、開口部から廃棄物を持ち上げて投棄する際にも負担を感じることなく投棄することが可能になる。
【発明の効果】
【００２４】
本発明の効果として、収容箱本体の開口部を略閉塞する扉部本体は、扉部の自重によって開口状態、及び閉塞状態に付勢されて変位するため、容易に扉部を扱うことができる。さらに、扉部の開口状態は扉部の自重によって保持されるため、廃棄物の投棄を安全に行なうことができる。また、扉部の閉塞状態も扉部の自重によって保持されるため、強風に煽られる等によって扉部が開口状態に向かって変位することが防止可能である。
【００２５】
また、収容箱本体及び扉部の少なくとも一部が網状部材によって形成されることにより、収容空間が密閉状態になることを防止し、収容空間に収容される廃棄物に含まれる生ゴミ等の腐敗の進行を遅延させることができる。
【発明を実施するための最良の形態】
【００２６】
以下、本発明の実施形態である廃棄物収容箱１について、図１乃至図５に基づいて説明する。ここで、図１は閉塞状態ＣＳの廃棄物収容箱１の構成を示す斜視図であり、図２は開口状態ＯＳの廃棄物収容箱１の構成を示す斜視図であり、図３は廃棄物収容箱１の構成を示す正面図であり、図４は扉部３の閉塞状態ＣＳを模式的に示す説明図であり、図５は扉部３の開口状態ＯＳを模式的に示す説明図である。
【００２７】
本実施形態の廃棄物収容箱１は、図１乃至図５に示すように、ゴミ集積所に投棄される生ゴミ等をゴミ袋に集めた廃棄物４を一時的に収容するためのものであり、内部に複数の廃棄物４を収容可能な収容空間５に連通する開口部６を有する収容箱本体２と、開口部６を閉塞可能な扉部３と、扉部３を収容箱本体２に回動可能に軸支する一対の回動支持部７とから主に構成されている。
【００２８】
ここで、収容箱本体２について、さらに詳しく説明する。収容箱本体２は、図１及び図２に主として示すように、ステンレスを素材として形成され、廃棄物収容箱本体１の設置面Ｆ（図３参照）に互いに対向して立設された一対の前部支柱１２と、互いに対向し、かつ前部支柱１２とそれぞれが対向して立設された一対の後部支柱１３と、一対の前部支柱１２の間、一対の後部支柱１３の間、及び互いに隣合う前部支柱１２及び後部支柱１３の間（対角線上に位置するものを除く）を上端近傍で連結するように架設した四本の天井梁部１５と、天井梁部１５と同様に各々の支柱１２，１３の間を設置面Ｆからの高さＨ１（図３参照）が１０ｃｍの位置で連結するよう架設した四本の床梁部１１と、一対の前部支柱１２の間を設置面Ｆからの高さＨ（図３参照）が４０ｃｍの位置で連結するよう架設した梁部１６とから主に構成され、収容箱本体２の骨格が形成されている。さらに、天井梁部１５の上部には、屋根部１０が配設されている。なお、前述の前部支柱１２は、後部支柱１３よりも長いものが利用されており（図１及び図２参照）、屋根部１０は、本体背面側（図３における紙面奥行き方向に相当）に若干傾斜している。これにより、雨天の場合であっても、屋根部１０に到達した雨水は、収容箱本体の前面側から背面側に排水することとなる。すなわち、上述した構成によって、収容箱本体２は、複数の枠体から形成されることになる。さらに、具体的に説明すると、四本の床梁部１１によって床枠体８ａが形成され、一対の後部支柱１３、床梁部１１、及び天井梁部１５の一部によって背枠体８ｂが形成され、後部支柱１３、前部支柱１２、床梁部１１、及び天井梁部１５の一部によって側枠体８ｃが形成され、一対の前部支柱１２、梁部１６、及び床梁部１１の一部によって前枠体８ｄが形成されている。なお、図１等に示すように、形成された床枠体８ａ、背枠体８ｂ、側枠体８ｃ、及び前枠体８ｄには、枠内を架渡すようにした補強材１７が設けられている。
【００２９】
そして、床枠体８ａ、背枠体８ｂ、側枠体８ｃ、及び前枠体８ｄには合成樹脂を素材とした線材等によって網目状（ネット状）に形成された網状部材９が各々の枠面を被覆するように張設されている。そして係る網状部材９は、それぞれの枠体８ａ等を構成する支柱１２等及び梁１１等の表面と、ステンレスを素材とした押さえ板Ｐとで挟まれ、ビスＶによって固定されている。これにより、収容箱本体２に、屋根部１０及び各枠体８ａ等によって囲まれた収容空間５が創出される。なお、収容箱本体の前面に位置し、前枠体８ｄの上方の箇所、換言すれば、一対の前部支柱１２、梁部１６及び天井梁部１５の一部によって囲まれた空間には、前述の網状部材９は張設されていない。そして、係る箇所が収容空間５に連通し、廃棄物４を収容空間５内に投棄する際の開口部６となる。ここで、前枠体８ｄ、及び前枠体８ｄに張設された網状部材９が収容箱本体２の前面に相当し、床枠体８ａ、及び床枠体８ａに張設された網状部材９が収容箱本体２の床面に相当する。
【００３０】
次に、扉部３は、長方形状を呈する第一扉部１８、及び第一扉部１８の上端から延設され、収容空間５の方向に湾曲して形成される第二扉部１９からなる扉部本体２０と、扉部本体２０から垂設された一対の扉支持部２１ａ，２１ｂと、扉部本体２０の外側面に取設された把持部２４とから構成されている。
【００３１】
ここで、扉部本体２０について、さらに詳しく説明する。扉部本体２０は、図１に示すように、ステンレスを素材とし、一端が湾曲して形成される二本の棒状部材２５と、この二本の棒状部材２５を並列させた状態で上端を連結する上梁部２６ａと、二本の棒状部材２５の下端を連結する下梁部２６ｂとによって骨格が形成されている。なお、上梁部２６ａと、下梁部２６ｂとの間には、棒状部材２５と略同形状の扉補強材２７が架設されている。そして、係る骨格に上述の網状部材９と同一素材によって形成される網状部材２３が張設され、収容箱本体２と同様に、押さえ板Ｐ及びビスＶによって固定されている。
【００３２】
次に、一対の扉支持部２１ａ，２１ｂについて、さらに詳しく説明する。なお、一対の扉支持部２１ａ，２１ｂは、左右同一の構成を成すものであり、ここでは、一方の扉支持部２１ａ，２１ｂについての説明を行なう。
【００３３】
扉支持部２１ａ，２１ｂは、ステンレスを素材とし、略同一の長さに形成されている。そして、扉支持部２１ａは第二扉部１９の上端部１９ａから垂設され、扉支持部２１ｂは第二扉部１９の下端部、すなわち第一扉部１８の上端部１９ｂから垂設される。そして、扉支持部２１ａ，２１ｂは端部にて互いに連結されている。
【００３４】
ここで、一対の回動支持部７は、扉支持部２１ａ，２１ｂの連結部を収容箱本体２の互いに対向する側枠体８ｃに架設された補強材１７の対向する箇所１７ａに回動可能に軸支するものである（図４及び図５参照）。これにより、扉支持部２１ａ，２１ｂは回動支持部７を支点として回動し、係る回動に伴い、扉部本体２０を変位させることができる。
【００３５】
次に、廃棄物収容箱１に廃棄物４を収容する手順について、図１乃至図５に基づいて説明する。まず、廃棄物収容箱１を利用する利用者は、収容箱本体２の開口部６を閉塞した閉塞状態ＣＳの扉部３（図４参照）に取設された把持部２４を把持し、扉部３を上方（図４矢印Ａ参照）へ跳ね上げる。すると、一対の扉支持部２１ａ，２１ｂが回動支持部７を中心に回動し、扉部３は閉塞状態ＣＳから開口状態ＯＳに向かって変位する。さらに、利用者は、開口部６の全面に対して５０％程度開口する位置まで扉部３を変位（図４点線参照）させる。このとき、扉部３の重心Ｇは回動支持部７に対して背枠体８ｂ側に位置するため、利用者が把持部２４から手を離しても、扉部３は自重により付勢され、自然に跳ね上げられて開口状態ＯＳ（図５参照）まで変位する。これにより、利用者は閉塞状態ＣＳの扉部３を開口状態ＯＳになるまで変位させる必要が無くなり、利用者の負担が軽減される。
【００３６】
そして、開口した開口部６から廃棄物４を投棄する。このとき、扉部３の開口状態ＯＳは自重によって付勢され、保持されている。これによって、利用者は、廃棄物４を投棄する際に扉部３を支持する必要がなく、安全に投棄することができる。そして、廃棄物４を投棄した後、把持部２４を把持して下方（図５矢印Ｂ参照）に引き下げ、重心Ｇが一対の回動支持部７に対して開口部６側に位置するまで扉部３を変位させた後、把持部２４から手を離す。すると、扉部３は自重により付勢され、閉塞状態ＣＳまで変位する。これにより、廃棄物４は廃棄物収容箱１に収容される。これによって、ゴミ回収業者によって廃棄物４が回収されるまでの間、廃棄物４は外部の犬、カラス、又は猫等から隔離されるため、犬、カラス、又は猫等によるゴミ袋の散乱を防止することが可能である。
【００３７】
また、扉部３の閉塞状態ＣＳは自重によって付勢され、保持される。これによって、扉部３が強風等により自然に開口状態に変位することはない。また、収容箱本体２、及び扉部本体２０は網状部材９，２３を張設して形成されるため、収容空間５に通気性を確保することができ、廃棄物４に含まれる生ゴミ等の腐敗の進行を遅延させることができる。さらに、係る廃棄物収容箱１は網状部材９，２３を通して内部の収容空間５を外部から視認される。これにより、廃棄物４の不法投棄やイタズラを防止することが可能である。
【００３８】
また、このとき、収容箱本体２が有する開口部６は、梁部１６、すなわち開口部６の下端６ａが床梁部１１から３０ｃｍの高さＨ２（図３参照）になるように設けられていることより、収容空間５に収容される廃棄物４が開口部６から崩れ出すことを防ぐことができる。また、このとき、開口部６の下端６ａの、設置面Ｆからの高さＨは４０ｃｍであることより、女性や高齢者、又は身長の低い子供であっても容易に廃棄物４を持ち上げ、投棄することが可能である。さらに、第二扉部１９が収容空間５に向かって湾曲して形成されていることより、第二扉部１９は、回動支持部７を支点とする略円弧形状の軌道に沿って変位する。これによって、収容箱本体２の奥行き、及び高さを小さく設計することが可能になる。
【００３９】
以上、本発明において好適な実施形態を挙げて説明したが、本発明は本実施形態に限定されるものではなく、以下に示すように、本発明の要旨を逸脱しない範囲において、改良及び設計の変更が可能である。
【００４０】
すなわち、本実施形態において収容箱本体２及び扉部本体２０を骨格と網状部材９，２３とで構成されるものを提示したが、これに限定されるものではなく、例えば、板状部材によって形成される収容箱本体、又は扉部本体の一部に開口部を設け、係る開口部に網状部材を張設するものでも構わない。この場合でも収容空間に通気性は確保され、廃棄物に含まれる生ゴミ等の腐敗の進行を遅延させることができる。さらに、骨格としてステンレスを素材としたものを提示したが、これに限定されるものではなく、例えば、アルミ又は鉄等を利用するものであっても構わない。
【００４１】
また、本実施形態において梁部１６を収容箱本体２の設置面Ｆから４０ｃｍの高さＨ、すなわち床梁部１１から３０ｃｍの高さＨ２に架設するものを提示したが、これに限定されるものではなく、開口部の下端位置、すなわち梁部の架設位置が前記廃棄物が収容される床面から２０ｃｍ以上、かつ前記収容箱本体を設置する設置面から６０ｃｍ以下の高さに設定されているものであれば構わない。このとき、開口部から廃棄物の投棄を容易に行えることを重んじる場合には、開口部の下端位置、すなわち梁部の架設位置を、収容箱本体の設置面より４０ｃｍ以下に設定することが好ましく、廃棄物が開口部から崩れ出すことを防止することを重んじる場合には、梁部の架設位置を、床枠体の架設位置より４０ｃｍ以上に設定することが好ましい。
【００４２】
さらに、開口部６の全面に対して５０％程度開口する位置まで扉部３を変位させた場合に、自重による開口状態ＯＳへの付勢が生じるものを提示したが、これに限定されるものではなく、例えば、開口部の全面に対して４０％以上、６０％以下、好ましくは４５％以上、５５％以下が開口する位置まで扉部を変位させることにより、自重による開口状態への付勢が生じるものであれば構わない。また、例えば、扉部の開閉において、開口状態への変位を容易にできることを重んじる場合には開口部の全面に対して３０％以上、４０％以下が開口する位置まで扉部を変位させることにより、自重による開口状態への付勢が生じるものであれば構わず、閉塞状態への変位を容易にできることを重んじるならば、開口部の全面に対して６０％以上、７０％以下が開口する位置まで扉部を変位させることにより、自重による閉塞状態への付勢が生じるものであれば構わない。
【図面の簡単な説明】
【００４３】
【図１】閉塞状態の廃棄物収容箱の構成を示す斜視図である。
【図２】開口状態の廃棄物収容箱の構成を示す斜視図である。
【図３】廃棄物収容箱の構成を示す正面図である。
【図４】扉部の閉塞状態を模式的に示す説明図である。
【図５】扉部の開口状態を模式的に示す説明図である。
【符号の説明】
【００４４】
１  廃棄物収容箱
２  収容箱本体
３  扉部
４  廃棄物
５  収容空間
６  開口部
７  回動支持部
８ａ  床枠体
８ｄ  前枠体
８ｃ  側枠体
８ｂ  背枠体
９  網状部材
１０  屋根部
１７  補強材
１８  第一扉部
１９  第二扉部
２０  扉部本体
２１ａ  扉支持部
２１ｂ  扉支持部
２４  把持部
２３  網状部材
ＣＳ  閉塞状態
ＯＳ  開口状態
Ｇ  重心
Ｐ  押さえ板
【図１】
2005314025.tif 000003
【図２】
2005314025.tif 000004
【図３】
2005314025.tif 000005
【図４】
2005314025.tif 000006
【図５】
2005314025.tif 000007